(57)【特許請求の範囲】
【請求項１】
着座者の背中を支える背もたれ部と、該背もたれ部と固着され、背もたれ部の間隔で着座者の両脇を支え、下端に高さ調整ピンを嵌合するピン孔が形成された左右側面板と、該左右側面板間に着座姿勢高さに配置され、着座者の大腿部に位置して左右側面板に固着された固定側前方座面と臀部に位置して前傾斜しながら上昇かつ前進する運動可能な運動側後方座面とからなる座面部と、前記左右側面板に設けた上面開口部から上昇かつ前進する肘掛部支持母体の上端に固定された左右肘掛部と、縦方向に一定間隔で穴の開いた高さ調整機構を持ち、前記左右側面板の下端のピン孔に嵌合して高さ調整ピンを挿入する位置により着座者の身体に合った高さ調整ができる脚部とから構成されることを特徴とする立ち上がり補助装置付き椅子。
【請求項２】
前記後方座面の下部には後方座面支持母体が設けられ、該後方座面支持母体の左右両側には、一端を後方座面支持母体の前方上部に枢支され他端を左右側面板に固着された第一リンク回転支持軸に枢支された後方座面運動用第一リンクと、一端を後方座面支持母体の後方下部に枢支され他端を左右側面板に固着された第二リンク回転支持軸に枢支された後方座面運動用第二リンクとを備え、
前記肘掛部支持母体は、後方座面運動用第一リンクを挿通した肘掛機動基準軸の端部を肘掛部支持母体の前方下部で枢支しており、また、左右側面板の内側壁面に固定された第三リンク回転支持軸を支点にして回動する肘掛運動用第三リンクを肘掛部支持母体の後方下部で枢支しており、
後方座面運動用第一リンクの回動により、後方座面支持母体を前傾斜させながら上昇かつ前進させると共に肘掛部支持母体を上昇かつ前進させることができることを特徴とする請求項１記載の立ち上がり補助装置付き椅子。
【発明の詳細な説明】
【０００１】
【発明の属する技術分野】
本発明は、足腰の弱い人や身障者が立ち上がる際に、最小の能力で立ち上がることの出来る立ち上がり補助装置付き椅子に関する。
【０００２】
【従来の技術】
従来、座板を脚部に対して昇降駆動装置によって昇降可能に設けた特開平８−２５７０６１号公報の起立補助椅子が公開されている。
この起立補助椅子は、座板に座った状態から起立する際に、座板を斜め上方に上昇させることにより、尻を斜め上方に押し上げて起立し易くしたものである。
しかし、この起立補助椅子は、斜め上方に座板を単に上昇させるだけであるから、実際に起立する際に、上半身を前方に移動させなければならない。
このような動作は、アームレストを強く握って前方へ体重を移動させる能力を有する人や、足腰の比較的強い人でなければ行えないので、足腰の弱った人や腕力の弱い人などには、座板を斜め上方に単に上昇させるだけではほとんど役に立たないという問題があった。
【０００３】
【発明が解決しようとする課題】
そこで、本発明は、起立姿勢に近い姿勢まで立ち上がり動作を支援することができ、それにより使用者への負担を著しく軽減させることの出来る立ち上がり補助装置付き椅子を提供することを目的とする。
【０００４】
【課題を解決するための手段】
そのために、本発明の立ち上がり補助装置付き椅子は、着座者の背中を支える背もたれ部と、該背もたれ部と固着され、背もたれ部の間隔で着座者の両脇を支え、下端に高さ調整ピンを嵌合するピン孔が形成された左右側面板と、該左右側面板間に着座姿勢高さに配置され、着座者の大腿部に位置して左右側面板に固着された固定側前方座面と臀部に位置して前傾斜しながら上昇かつ前進する運動可能な運動側後方座面とからなる座面部と、前記左右側面板に設けた上面開口部から上昇かつ前進する肘掛部支持母体の上端に固定された左右肘掛部と、縦方向に一定間隔で穴の開いた高さ調整機構を持ち、前記左右側面板の下端のピン孔に嵌合して高さ調整ピンを挿入する位置により着座者の身体に合った高さ調整ができる脚部とから構成されるものである。
さらに、前記後方座面の下部には後方座面支持母体が設けられ、該後方座面支持母体の左右両側には、一端を後方座面支持母体の前方上部に枢支され他端を左右側面板に固着された第一リンク回転支持軸に枢支された後方座面運動用第一リンクと、一端を後方座面支持母体の後方下部に枢支され他端を左右側面板に固着された第二リンク回転支持軸に枢支された後方座面運動用第二リンクとを備え、
前記肘掛部支持母体は、後方座面運動用第一リンクを挿通した肘掛機動基準軸の端部を肘掛部支持母体の前方下部で枢支しており、また、左右側面板の内側壁面に固定された第三リンク回転支持軸を支点にして回動する肘掛運動用第三リンクを肘掛部支持母体の後方下部で枢支しており、
後方座面運動用第一リンクの回動により、後方座面支持母体を前傾斜させながら上昇かつ前進させると共に肘掛部支持母体を上昇かつ前進させることができるものである。
【０００５】
【実施例】
以下、本発明の一実施例を図面に基づいて説明する。
図１の一部断面正面図に示すように、立ち上がり補助装置付き椅子は、着座者の背中を支えるクッション１を張った背もたれ部２と、該背もたれ部２と固着され、背もたれ部２の間隔で着座者の両脇を支え、下端に高さ調整ピン３を嵌合するピン孔４が形成された中空細幅直方体の左右側面板５と、該左右側面板５間に着座姿勢高さに配置され、着座者の大腿部に位置して左右側面板５に固着された固定側前方座面６と臀部に位置して前傾斜しながら上昇かつ前進する運動可能な運動側後方座面７とからなる凹状の座面部８と、前記左右側面板５に設けた上面開口部９から上昇かつ前進する肘掛部支持母体１０の上端に固定された左右肘掛部１１と、縦方向に一定間隔で穴の開いた高さ調整機構１２を持ち、前記左右側面板５の下端のピン孔４に嵌合して高さ調整ピン３を挿入する位置により着座者の身体に合った高さ調整ができるＬ字状の脚部１３とから構成される。
【０００６】
さらに、本発明の立ち上がり補助装置付き椅子の主な構成について詳細に述べると、
図２の要部断面側面図に示すように、後方座面７の下部には、後方座面７が前傾斜しながら上昇かつ前進した時に前方座面６と接触しないように、前方座面６側に傾斜面１４を有する角錐台状筺体からなる後方座面支持母体１５が設けられ、該後方座面支持母体１５の左右両側には、一端を後方座面支持母体１５の前方上部に枢支され他端を左右側面板５間に固着された固定盤１６の第一リンク回転支持軸１７に枢支された後方座面運動用第一リンク１８と、一端を後方座面支持母体１５の後方下部に枢支され他端を左右側面板５間に固着された固定盤１６の第二リンク回転支持軸１９に枢支された後方座面運動用第二リンク２０とが備えられる。
そして、後方座面運動用第一リンク１８と後方座面運動用第二リンク２０とは、後方座面運動用第一リンク１８を傾斜状態で上方に配置し、後方座面運動用第二リンク２０を水平状態で下方に配置し、第一リンク回転支持軸１７を支点にした後方座面運動用第一リンク１８の回転軌跡と第二リンク回転支持軸１９を支点にした後方座面運動用第二リンク２０の回転軌跡とが異なるように配置したため、後方座面支持母体１５、すなわち後方座面７が前傾斜しながら上昇かつ前進するようになっている。
なお、後方座面運動用第一リンク１８の後方座面支持母体１５側には、後方座面支持母体１５間を挿通して肘掛部支持母体１０間に渡された肘掛機動基準軸２１が貫通しており、該肘掛機動基準軸２１に前記後方座面運動用第一リンク１８が嵌合している。
【０００７】
また、図２の要部断面側面図に示すように、前記左右側面板５に設けた上面開口部９から上昇かつ前進する肘掛部支持母体１０は、前述の後方座面運動用第一リンク１８を挿通した肘掛機動基準軸２１の端部を肘掛部支持母体１０の前方下部で枢支しており、後方座面運動用第一リンク１８を肘掛部支持母体１０のリンク機構と兼用させており、一方、左右側面板５の内側壁面に固定された第三リンク回転支持軸２２を支点にして回動する肘掛運動用第三リンク２３を肘掛部支持母体１０の後方下部で枢支しており、後方座面運動用第一リンク１８の運動に従う後方座面支持母体１５に肘掛部支持母体１０が追従するように運動する。
また、肘掛運動用第三リンク２３は、後方座面運動用第一リンク１８と平行姿勢となるように配置され、後方座面運動用第一リンク１８と一体になって平行リンク機構を構成し、肘掛部支持母体１０の平行姿勢を保ったまま上昇かつ前進する。
なお、左右側面板５の前方座面６側の内側壁面には、図１の一部断面正面図に示すように、肘掛機動基準軸２１が回動する回転軌跡上に当たる個所に誘導孔２４を形成し、該誘導孔２４内を肘掛機動基準軸２１が自由に移動できるようにし、肘掛部支持母体１０の上昇かつ前進を援助する。
また、肘掛部１１については、全ての動作中に体重支持が必要であり前に手が滑らないようにするため常に平行かやや前上がりにすることでフラツキをなくすことができる。
【０００８】
さらに、後方座面７及び肘掛部１１を作動するモータアクチュエータ２５は、図１に示すように、一端を左右側面板５間の背もたれ部２側下部に渡された固定桟２６にモータアクチュエータ２５本体を枢動自在に固定され、他端を後方座面運動用第一リンク１８間に渡された支持軸２７の中央に作動ロッド２８の先端が枢動自在に固定されている。
したがって、モータアクチュエータ２５は、図２の要部断面側面図に示すように、前方座面６側の前方上方を指向した傾斜状に配置され、伸長作動を行うことにより、第一リンク回転支持軸１７を支点にして後方座面運動用第一リンク１８が回動されると、該後方座面運動用第一リンク１８と共に該後方座面運動用第一リンク１８に貫通支持されている肘掛機動基準軸２１が回動され、後方座面運動用第一リンク１８と後方座面運動用第二リンク２０とは上下方向に間隔を置いて配置されていると共に後方座面運動用第一リンク１８と肘掛運動用第三リンク２３とは左右方向に間隔を置いて配置されているため、後方座面支持母体１５、すなわち後方座面７を前傾斜させながら上昇かつ前進させると共に肘掛部支持母体１０、すなわち肘掛部１１を上昇かつ前進させることができる。
【０００９】
次に、本発明の立ち上がり補助装置付き椅子の立ち上がり動作について説明する。
図３の説明図に示す立ち上がり補助装置付き椅子の立ち上がり姿勢状態において、一点鎖線で示す着座姿勢位置から破線で示す立ち上がり姿勢を取るために、着座者は、例えば肘掛部１１に備えた立ち上がり姿勢作動用スイッチ（図示せず）を操作してモータアクチュエータ２５を作動させると、作動ロッド２８が伸長作動して後方座面運動用第一リンク１８を矢印Ａ方向の前方座面６側に回転させ、これと同時に、後方座面支持母体１５に連結された後方座面運動用第二リンク２０が第二リンク回転支持軸１９を支点にして矢印Ｂ方向へ回転され、第一リンク回転支持軸１７を支点にした後方座面運動用第一リンク１８の回転軌跡と第二リンク回転支持軸１９を支点にした後方座面運動用第二リンク２０の回転軌跡とが異なるため、後方座面支持母体１５、すなわち後方座面７は矢印Ｃ方向へ前傾斜しながら上昇かつ前進する。
【００１０】
一方、後方座面運動用第一リンク１８を矢印Ａ方向の前方座面６側に回転させることに伴って、後方座面運動用第一リンク１８に挿通された肘掛機動基準軸２１が誘導孔２４に沿って前方座面６側に上昇かつ前進させられ、肘掛部支持母体１０に連結された肘掛運動用第三リンク２３が第三リンク回転支持軸２２を支点にして矢印Ｄ方向へ回転され、後方座面運動用第一リンク１８と肘掛運動用第三リンク２３とが平行リンク機構を形成しているため、肘掛機動基準軸２１の端部を嵌着している肘掛部支持母体１０、すなわち肘掛部１１は姿勢を変更することなく、矢印Ｅ方向へ上昇かつ前進する。
【００１１】
このモータアクチュエータ２５の伸長作動中において、着座者の両腕は肘掛部１１に載せた状態を保ち上半身は姿勢を変更することがなく、後方座面７が徐々に前傾斜しながら上昇かつ前進するので身体の重心位置を無理なく前方に移動して下肢部側へ移行することができ、動作中であっても、上肢及び臀部で支持面を作りながら弱い力でしかもバランスを維持しながら安全に立ち上がることができる。
【００１２】
最終的には、図３の説明図に破線で示す立ち上がり姿勢位置となり、立ち上がり動作では、身体を前に倒す動作と身体を押し上げる動作が同時に行えるようにすることが必要であって、図４の側面図に示す立ち上がり姿勢位置は、肘掛部１１を使用することにより手で後方下方に力を出すことができるようになり身体の前屈運動時に身体の押し上げ力を発揮することでき、大腿部が椅子から離れるときに必要な押し上げ力を発揮できる。
また、大腿部が椅子から離れるまでの身体の押し上げ力を運動側後方座面７の前傾斜しながら上昇かつ前進することで補い軽減している。
したがって、大腿部が椅子から離れる時に肘掛部１１が後方座面７と一緒に上昇かつ前進しているので、上肢の着座姿勢を変えることなく手で後方下方に力を発揮でき、下肢の負担軽減を上肢で行え、さらに大腿部が椅子から離れた後の重心支持にも上肢を活用できる。
【００１３】
【効果】
本発明の立ち上がり補助装置付き椅子は、起立姿勢に近い姿勢まで立ち上がり動作を支援することができ、それにより使用者への負担を著しく軽減させることの出来るので、足腰の弱い人や身障者が立ち上がる際に、最小の能力で立ち上がることが出来る。
また、臀部の後方座面の運動に肘掛部が追従運動する機構となっていることから、動作中であっても、上肢及び臀部で支持面を作りながら弱い力でしかもバランスを維持しながら安全に立ち上がることができる。
【図面の簡単な説明】
【図１】本発明の立ち上がり補助装置付き椅子の着座位置を示す一部断面正面図である。
【図２】本発明の立ち上がり補助装置付き椅子の着座位置を示す要部断面側面図である。
【図３】本発明の立ち上がり補助装置付き椅子の立ち上がり動作を示す説明図である。
【図４】本発明の立ち上がり補助装置付き椅子の立ち上がり位置を示す側面図である。
【符号の説明】
１    クッション
２    背もたれ部
３    高さ調整ピン
４    ピン孔
５    左右側面板
６    前方座面
７    後方座面
８    座面部
９    上面開口部
１０    肘掛部支持母体
１１    肘掛部
１２    高さ調整機構
１３    脚部
１４    傾斜面
１５    後方座面支持母体
１６    固定盤
１７    第一リンク回転支持軸
１８    後方座面運動用第一リンク
１９    第二リンク回転支持軸
２０    後方座面運動用第二リンク
２１    肘掛機動基準軸
２２    第三リンク回転支持軸
２３    肘掛運動用第三リンク
２４    誘導孔
２５    モータアクチュエータ
２６    固定桟
２７    支持軸
２８    作動ロッド
【図１】
0003624228.tif 000002
【図２】
0003624228.tif 000003
【図３】
0003624228.tif 000004
【図４】
0003624228.tif 000005